(57)【要約】【課題】発光素子の熱を確実且つ充分に放熱させることができる照明装置、及びこれを具備する照明システムを提供する。【解決手段】照明装置１は、長尺状の金属フレーム１１と、金属フレーム１１に設置されると共に当該金属フレーム１１の延在方向に延びる長帯状のフレキシブル基板１２と、フレキシブル基板１２に実装され金属フレーム１１の延在方向に配列された複数のＬＥＤ１３と、金属フレーム１１の中空部として形成され、ＬＥＤ１３の熱を放熱させるための冷却水Ｗを流通させる水流路１５と、を備えたことを特徴とする。【選択図】図２
2013251230.tif 000002
【特許請求の範囲】
【請求項１】
金属製の長尺状の台座部材と、
前記台座部材に設置されると共に当該台座部材の延在方向に延びる長帯状の基板と、
前記基板に実装され前記台座部材の延在方向に配列された複数の発光素子と、
前記台座部材の中空部として形成され、前記発光素子の熱を放熱させるための冷却水を流通させる水流路と、を備えたことを特徴とする照明装置。
【請求項２】
前記台座部材の側面に設けられ前記台座部材の延在方向に延びる凹溝を備え、
前記基板は、前記発光素子の実装面とは反対側の面を前記凹溝の底面に向けて当該凹溝内に設置されていることを特徴とする請求項１に記載の照明装置。
【請求項３】
前記基板及び前記発光素子を覆うように前記凹溝内に設けられたコーティング材を更に備えたことを特徴とする請求項２に記載の照明装置。
【請求項４】
前記水流路は、前記台座部材に挿通された１又は複数の管部材により構成されていることを特徴とする請求項１〜３の何れか１項に記載の照明装置。
【請求項５】
前記水流路は、前記発光素子の熱で加熱された冷却水としての加熱冷却水を温水モジュールへ供給することを特徴とする請求項１〜４の何れか１項に記載の照明装置。
【請求項６】
請求項１〜５の何れか１項に記載の照明装置を具備する照明システムであって、
前記水流路の下流側に接続され、前記発光素子の熱で加熱された冷却水としての加熱冷却水を流通させるヒータパイプを備えたことを特徴とする照明システム。
【請求項７】
前記照明装置は、植物栽培用光源であり、
前記ヒータパイプは、前記加熱冷却水の熱によって周囲雰囲気又は土壌を温めることを特徴とする請求項６に記載の照明システム。
【請求項８】
前記水流路の下流側に接続され、前記加熱冷却水を植物に灌水する第１灌水手段を備えたことを特徴とする請求項７に記載の照明システム。
【請求項９】
前記水流路の途中に接続され、前記冷却水を植物に灌水する第２灌水手段を備えたことを特徴とする請求項７又は８に記載の照明システム。
【請求項１０】
前記冷却水は、液肥であることを特徴とする請求項８又は９に記載の照明システム。
【発明の詳細な説明】
【技術分野】
【０００１】
本発明は、照明装置、及びこれを具備する照明システムに関する。
【背景技術】
【０００２】
従来の照明装置としては、例えば特許文献１に記載されたものが知られている。この照明装置では、樹脂材で形成されたロープ本体の内部に、当該ロープ本体の延在方向に沿って複数のチップ型ＬＥＤ（Light Emitting Diode）ライトが間隔を設けて連結されて配設されている。
【先行技術文献】
【特許文献】
【０００３】
【特許文献１】特開２００６−２０２５００号公報
【発明の概要】
【発明が解決しようとする課題】
【０００４】
ここで、上述したような照明装置においては、例えばハイパワー型のＬＥＤを実装したりＬＥＤを高密度配置したりすることで、照明装置の輝度（明るさ）を高めようとする場合、ＬＥＤの熱による悪影響が顕著となるおそれがある。そのため、この種の照明装置では、特にその輝度を高める場合において、ＬＥＤ等の発光素子の熱を確実且つ充分に放熱できることが望まれている。
【０００５】
そこで、本発明は、発光素子の熱を確実且つ充分に放熱させることができる照明装置、及びこれを具備する照明システムを提供することを課題とする。
【課題を解決するための手段】
【０００６】
上記課題を解決するため、本発明に係る照明装置は、金属製の長尺状の台座部材と、台座部材に設置されると共に当該台座部材の延在方向に延びる長帯状の基板と、基板に実装され台座部材の延在方向に配列された複数の発光素子と、台座部材の中空部として形成され、発光素子の熱を放熱させるための冷却水を流通させる水流路と、を備えたことを特徴とする。
【０００７】
この本発明の照明装置では、発光素子からの熱は、単に外部へと放熱されるだけでなく、台座部材内に設けられた水流路を流通する冷却水によっても放熱されることとなる。従って、本発明によれば、発光素子の熱を確実且つ充分に放熱させることができ、その結果、例えばハイパワー型の発光素子を実装するなどして照明装置の輝度を高めることが可能となる。
【０００８】
また、上記作用効果を好適に奏する構成として、具体的には、本発明の照明装置は、台座部材の側面に設けられ台座部材の延在方向に延びる凹溝を備え、基板は、発光素子の実装面とは反対側の面を凹溝の底面に向けて当該凹溝内に設置されていることとしてもよい。この構成によれば、発光素子は凹溝の外側に向けて光を発する。そして、発光素子で発生する熱は、基板を通じ凹溝の底面を通じて台座部材内を伝導し、水流路の冷却水に放熱される。
【０００９】
またこの場合、本発明の照明装置は、基板及び発光素子を覆うように凹溝内に設けられたコーティング材をさらに備えてもよい。この構成によれば、コーティング材によって発光素子を保護することができる。また、水流路は、台座部材に挿通された１又は複数の管部材により構成されていることとしてもよい。
【００１０】
また、水流路は、発光素子の熱で加熱された冷却水としての加熱冷却水を温水モジュールへ供給することとしてもよい。この場合、発光素子の熱を有効利用して省エネ及び低炭素化を実現することができる。
【００１１】
また、本発明に係る照明システムは、上記何れかの照明装置を具備する照明システムであって、水流路の下流側に接続され、発光素子の熱で加熱された冷却水としての加熱冷却水を流通させるヒータパイプを備えたことを特徴とする。
【００１２】
この本発明の照明システムにおいても、上記照明装置を具備するため、発光素子の熱を確実且つ充分に放熱させることが可能となる。さらに、加熱冷却水を流通させるヒータパイプによって発光素子の熱を利用することができる。
【００１３】
また、照明装置は、植物栽培用の光源であり、ヒータパイプは、加熱冷却水の熱によって周囲雰囲気又は土壌を温めることが好ましい。この場合、発光素子の熱を、植物栽培の際における暖房に利用することが可能となる。
【００１４】
また、水流路の下流側に接続され、加熱冷却水を植物に灌水する第１灌水手段を備えたことが好ましい。この場合、水流路を流通した後の加熱冷却水を植物に灌水することが可能となる。
【００１５】
また、水流路の途中に接続され、冷却水を植物に灌水する第２灌水手段を備えたことが好ましい。この場合、水流路に冷却水を流通させて発光素子の熱を放熱するだけでなく、水流路を流通している途中の冷却水を植物に灌水することが可能となる。
【００１６】
このとき、冷却水は、液肥であることが好ましい。この場合、冷却水を植物に液肥として供給することが可能となる。
【発明の効果】
【００１７】
本発明によれば、発光素子の熱を確実且つ充分に放熱させることが可能となる。
【図面の簡単な説明】
【００１８】
【図１】本発明の第１実施形態に係る照明装置を具備する照明システムの概略構成図である。
【図２】（ａ）は図１の照明装置を示す側断面図であり、（ｂ）は図２（ａ）のII（ｂ）−II（ｂ）線に沿っての断面図である。
【図３】図２に示す金属フレームの構造の他の例を示す断面図である。
【図４】（ａ）は図１の照明装置の他の例を示す図２（ｂ）に対応する断面図、（ｂ）は図１の照明装置のさらに他の例を示す図２（ｂ）に対応する断面図である。
【図５】複数の照明装置を栽培トレイの上方に設置した状態を示す斜視図である。
【図６】照明装置同士の接続部を示す斜視図である。
【図７】（ａ）は本発明の第２実施形態に係る照明装置を示す図２（ｂ）に対応する断面図、（ｂ）は図７（ａ）の照明装置の他の例を示す図２（ｂ）に対応する断面図である。
【図８】（ａ）は図７（ａ）の照明装置のさらに他の例を示す図２（ｂ）に対応する断面図、（ｂ）は図７（ａ）の照明装置の別の他の例を示す図２（ｂ）に対応する断面図である。
【発明を実施するための形態】
【００１９】
以下、添付図面を参照して、本発明の好適な実施形態について詳細に説明する。なお、以下の説明において、同一又は相当要素には同一符号を付し、重複する説明を省略する。
【００２０】
［第１実施形態］
まず、本発明の第１実施形態について説明する。図１は本発明の第１実施形態に係る照明装置を具備する照明システムの概略構成図、図２は図１の照明装置を示す断面図である。図１に示すように、本実施形態の照明システム１００は、施設栽培（植物工場）において照明装置１を植物栽培用光源として具備するものである。ここでの照明システム１００では、ハウス１０１内の植物１０２を栽培するために、照明装置１が補光光源又は防蛾光源として用いられている。
【００２１】
この照明システム１００は、照明装置１と、ハウスヒータ２と、土中ヒータ３と、灌水用点滴チューブ４と、コントローラ５と、を備えている。図２に示すように、照明装置１は、水平に延びる長尺状を呈する金属フレーム１１と、金属フレーム１１に設置された長帯状のフレキシブル基板（基板）１２と、フレキシブル基板１２上に並設されたＬＥＤ（発光素子）１３と、ＬＥＤ１３を覆うように設けられたコーティング材１４と、金属フレーム１１の内部にて冷却水Ｗを流通させる水流路１５と、で構成されている。
【００２２】
金属フレーム１１は、その用途や使用目的に応じた所定の長さで延在しており、例えばアルミニウム、ステンレス、銅、真鍮等の金属で形成されている。本実施形態のように照明装置１を植物栽培用光源として用いる場合、金属フレーム１１の長さは、例えば約１２００ｍｍが適当である。また、金属フレーム１１の幅は、例えば約１９ｍｍである。
【００２３】
金属フレーム１１の一側面（ここでは下面）には、当該金属フレーム１１の延在方向に延びる凹溝１７が形成されている。凹溝１７内には、フレキシブル基板１２が収容される。また、金属フレーム１１の内部には、当該金属フレーム１１の延在方向に延びる断面円形の中空部が形成されている。この中空部は、冷却水Ｗを流通させるための水流路１５として機能する。なお、金属フレーム１１の断面形状は、図２のものに限定されるものではなく、種々の断面形状を採用することができる。また、金属フレーム１１は、一体に形成してもよく、図３に示すように２部材で形成してもよい。図３に示す例では、水流路１５を設けた角材１１ａの底面に、凹溝１７を構成するチャネル材１１ｃを接合して金属フレーム１１を形成している。
【００２４】
フレキシブル基板１２は、可撓性を有する細長い帯状のプリント基板であり、例えば銅等で形成され厚さ０．５ｍｍの横断面矩形板状を呈している。このフレキシブル基板１２は、一方側の主面である一主面１２ａ、及び当該一主面１２ａと反対側の他主面１２ｂを含んでいる。このフレキシブル基板１２は、他主面１２ｂを凹溝１７の底面１７ａに向けて凹溝１７内に収容され、当該金属フレーム１１の延在方向に沿って延びている。
【００２５】
ＬＥＤ１３は、発光源として機能するものである。このＬＥＤ１３としては、例えば１Ｗ〜５Ｗの出力を有するハイパワー型の超高輝度ＬＥＤが用いられている。また、ここでのＬＥＤ１３は、表面実装型（マウント型）のものとされている。ＬＥＤ１３は、フレキシブル基板１２の一主面（実装面）１２ａに実装され、金属フレーム１１の延在方向に沿って所定間隔で複数配列されている。
【００２６】
コーティング材１４は、凹溝１７内に充填され硬化した透明樹脂（例えば、エポキシ樹脂、シリコーン樹脂等）により形成されている。コーティング材１４は、金属フレーム１１の凹溝１７内においてフレキシブル基板１２及びＬＥＤ１３を覆うようにフレキシブル基板１２の一主面１２ａ側に設けられている。コーティング材１４は透明であり、ＬＥＤ１３が発する光を透過させる。ＬＥＤ１３が実装されたフレキシブル基板１２を、金属フレーム１１の凹溝１７内に設置した状態から、フレキシブル基板１２を埋め込むように硬化性の樹脂を凹溝１７内に流し込み、当該樹脂を硬化させることによりコーティング材１４が形成される。このコーティング材１４の下面１４ａは、金属フレーム１１の下端に沿った平面状をなす。コーティング材１４の存在により、フレキシブル基板１２及びＬＥＤ１３が保護される。
【００２７】
水流路１５は、ＬＥＤ１３の熱を放熱するための水等の液状流体である冷却水Ｗを流通させ、フレキシブル基板１２及びＬＥＤ１３を少なくとも冷却する。この水流路１５は、金属フレーム１１に設けられた水密構造を呈する空洞（中空部）である。つまり、ここでの水流路１５は、金属フレーム１１に形成された空間（孔）により構成されている。水流路１５は金属フレーム１１の延在方向に延びており、金属フレーム１１の長手方向に冷却水Ｗを流通させる。
【００２８】
この水流路１５は、凹溝１７内におけるフレキシブル基板１２の他主面１２ｂ側に、該他主面１２ｂに近接するよう設けられている。具体的には、水流路１５は、凹溝１７内における他主面１２ｂから所定距離だけ離間した位置に形成されており、他主面１２ｂとの間に金属フレーム１１の金属材が介在するように構成されている。これにより、冷却水Ｗのフレキシブル基板１２側への漏洩が好適に防止されている。
【００２９】
また、水流路１５は、金属フレーム１１において延在方向の一端から他端まで通じるように当該延在方向に沿って設けられている。水流路１５の横断面形状は、例えばＬＥＤ１３の幅よりも幅広の円形（丸型水路）とされている。また、水流路１５は、例えばＬＥＤ１３の発熱量に応じた所定流量の冷却水Ｗを流通可能な流路面積を有している。この水流路１５は、ＬＥＤ１３の熱で加熱された冷却水Ｗである加熱冷却水（つまり、温水。以下、単に「加熱冷却水」という）Ｗ１を、後段のハウスヒータ２及び土中ヒータ３（図１参照）へと供給する。
【００３０】
図１に示すハウス１０１において、ハウスヒータ２は、ハウス１０１内の周囲雰囲気を温める温水モジュール（温水利用設備）であり、ハウスヒータパイプ２１を有している。ハウスヒータパイプ２１は、水流路１５の下流端部に接続されており、水流路１５を流通した後の加熱冷却水Ｗ１を流通させる。
【００３１】
土中ヒータ３は、土壌を温める温水モジュールであり、栽培トレイ１０４の土壌１０３中に埋設された土中ヒータパイプ３１を有している。土中ヒータパイプ３１は、ハウスヒータパイプ２１の下流端部に接続されている、すなわち、水流路１５の下流側にハウスヒータパイプ２１を介して接続されている。この土中ヒータパイプ３１は、ハウスヒータパイプ２１を流通後の加熱冷却水Ｗ１を流通させる。また、土中ヒータパイプ３１は、穿設された細孔３２を複数有しており、この複数の細孔３２により加熱冷却水Ｗ１の少なくとも一部を植物１０２に灌水する。
【００３２】
灌水用点滴チューブ４は、水流路１５を流通する冷却水Ｗの一部を植物１０２の根本へと点滴灌水するものであり、水流路１５の途中に接続されている。コントローラ５は、照明装置１に対して動作制御及び電力制御を実施するものであり、例えばＬＥＤ１３の点灯及び消灯を制御する。
【００３３】
以上のように構成された照明システム１００では、照明装置１のＬＥＤ１３が点灯している際、ポンプＰが駆動され、照明装置１の水流路１５に上流側から冷却水Ｗが流入される。そして、照明装置１においては、ＬＥＤ１３の発熱量に応じた所定流量の冷却水Ｗが水流路１５を下流側へと流れ、その際に、ＬＥＤ１３の点灯に伴い発生した熱が冷却水Ｗへと移動されて放熱され、ＬＥＤ１３及びフレキシブル基板１２が少なくとも冷却されることとなる。すなわち、この照明装置１のＬＥＤ１３は、凹溝１７の外側に向けて光を発し、この光が下方の植物１０２に照射される。発光によりＬＥＤ１３で発生する熱は、フレキシブル基板１２を通じ凹溝１７の底面１７ａを通じて金属フレーム１１内を伝導し、水流路１５の冷却水Ｗに放熱される。そして、冷却水Ｗは加熱されて加熱冷却水Ｗ１となる。
【００３４】
その後、照明装置１の水流路１５の下流側から加熱冷却水Ｗ１が流出され、この加熱冷却水Ｗ１がハウスヒータパイプ２１内にて流通され、これにより、ハウス１０１内が温められる。続いて、加熱冷却水Ｗ１が土中ヒータパイプ３１内にて流通され、これにより、土壌１０３が温められる。このとき、土中ヒータパイプ３１の複数の細孔３２から加熱冷却水Ｗ１の少なくとも一部が土壌１０３に導出され、これにより、植物１０２に灌水される。そして最後に、残りの加熱冷却水Ｗ１は、例えば照明装置１の流入前の冷却水Ｗに合流される。
【００３５】
以上、本実施形態においては、ＬＥＤ１３からの熱は、単に外部へと放熱されるだけでなく、金属フレーム１１内に設けられた水流路１５を流通する冷却水Ｗによっても積極的に放熱されることとなる。従って、本実施形態によれば、ＬＥＤ１３の熱を確実且つ充分に放熱させることができ、ハイパワー型のＬＥＤ１３を実装して照明装置１の輝度を高めた場合でも、ＬＥＤ１３の熱による悪影響を好適に抑制することが可能となる。例えば、植物１０２が高温に晒されると、光合成が低下し植物１０２の生育が阻害される等の悪影響が考えられるところ、このような植物１０２への熱による悪影響を好適に抑制することができる。
【００３６】
また、照明装置１では、台座部材（金属フレーム１１）の材料として金属を採用しているので、台座部材の熱伝導性が高い。よって、ＬＥＤ１３で発生した熱は、金属フレーム１１を通して水流路１５の冷却水Ｗに効率的に移動し、その結果、ＬＥＤ１３等を効率的に冷却することができる。なお、このような観点から、金属フレーム１１の材料としては、高い熱伝導率をもつアルミニウムを採用することが特に好ましい。
【００３７】
また、本実施形態のように、照明装置１を植物栽培用光源として使用する場合には、特に、照明装置１に水が掛かる可能性もあるが、ＬＥＤ１３やフレキシブル基板１２といった電子部品がコーティング材１４で覆われているので、当該電子部品に対する水の悪影響を抑制することができる。
【００３８】
また、本実施形態では、水流路１５から加熱冷却水Ｗ１をハウスヒータ２及び土中ヒータ３へ供給することにより、ハウスヒータパイプ２１で周囲雰囲気を温めると共に、土中ヒータパイプ３１で土壌１０３を温めることができる。つまり、ＬＥＤ１３の熱が植物栽培の際における暖房に利用されることとなる。このように本実施形態では、ＬＥＤ１３の熱を利用して温水を作り、それを利用することにより省エネ及び低炭素化を実現することが可能となる。なお、施設栽培では、一般的に、冬季の暖房及び補光が特に重要視されることから、本実施形態は冬季にて特に有効なものともいえる。
【００３９】
また、本実施形態では、上述したように、土中ヒータパイプ３１の複数の細孔３２から加熱冷却水Ｗ１が植物１０２に灌水されるため、水流路１５を流通後の加熱冷却水Ｗ１を、植物１０２に水分として供給することが可能となる。
【００４０】
また、本実施形態では、灌水用点滴チューブ４が水流路１５の途中に接続されていることから、水流路１５を流通する冷却水Ｗの一部を植物１０２の根本へと点滴灌水し、冷却水Ｗの一部を植物１０２に水分として供給することができる。
【００４１】
なお、本実施形態では、上述したように、土中ヒータパイプ３１により加熱冷却水Ｗ１の少なくとも一部を植物１０２に灌水させ、残りの加熱冷却水Ｗ１を照明装置１の流入前の冷却水Ｗに合流させているが、全ての加熱冷却水Ｗ１を植物１０２に灌水させる場合もある。
【００４２】
ちなみに、本実施形態の照明装置１における水流路１５は、上記構成に限定されるものではなく、冷却水Ｗを流通させるものであれば種々の構成としてもよい。例えば、図４（ａ）に示すように、照明装置１は、水流路１５（図２（ｂ）参照）に代えて、横断面形状が矩形形状（角型水路）の水流路２５を備えていてもよい。この水流路２５は、横断面において、フレキシブル基板１２の主面に沿う方向（図示左右方向）における位置がＬＥＤ１３と等しい位置とされている。
【００４３】
また、例えば図４（ｂ）に示すように、照明装置１は、水流路１５（図２（ｂ）参照）に代えて、複数（ここでは２つ）の水流路３５を備えていてもよい。これらの水流路３５，３５は、横断面において、フレキシブル基板１２の厚さ方向（図示上下方向）における位置が互いに等しくなるようにして、フレキシブル基板１２の主面に沿う方向に所定間隔で並設されている。
【００４４】
上記において、細孔３２を有する土中ヒータ３が第１灌水手段を構成し、灌水用点滴チューブ４が第２灌水手段を構成する。
【００４５】
また、図５に示すように、このようなハウス１０１においては、栽培トレイ１０４の設置面積に応じて、栽培トレイ１０４の上方に複数の照明装置１を設置することもできる。このとき、複数の照明装置１を数珠つなぎに連結して用いることができる。
【００４６】
複数の照明装置１の数珠つなぎを可能にするために、図６に示すように、各照明装置１の流水路１５の端部にホース接続部１９を設けてもよい。ホース接続部１９は、例えば、金属フレーム１１の端面にロウ付けで接合された管体であり、流水路１５の出入口を画成する。そして、隣接する照明装置１のホース接続部１９同士を、可撓性のホース２０（例えば、ポリエチレンホース等）を介して数珠つなぎに連結すればよい。また、ＬＥＤ１３の制御信号用のケーブルは、各照明装置１のコーティング材１４の端面から引出し、公知のコネクタ２２同士で数珠つなぎに連結すればよい。また、図５に示すようなハウス１０１を上下方向に積層してもよく、この場合にも、各ハウス１０１の照明装置１同士を上記と同様に連結してもよい。
【００４７】
［第２実施形態］
次に、本発明の第２実施形態について説明する。本実施形態の説明では、上記第１実施形態と異なる点について主に説明する。
【００４８】
図７（ａ）は、本発明の第２実施形態に係る照明装置を示す断面図である。図７（ａ）に示すように、本実施形態の照明装置５１が上記照明装置１と異なる点は、水流路１５（図２（ｂ）参照）に代えて、水流路５５を備えた点である。
【００４９】
水流路５５は、金属フレーム１１に挿通されたパイプ５５ａ（管部材）により画設され構成されている。つまり、水流路５５は、金属フレーム１１の内部にパイプ５５ａを挿入して形成されたパイプ挿入型のものである。パイプ５５ａは、円筒形状とされており、金属フレーム１１内において延在方向の一端から他端まで通じるように当該延在方向に沿って設けられている。このパイプ５５ａは、例えばＰＥ（ポリエチレン）等の樹脂材で形成されている。
【００５０】
以上、本実施形態においても、ＬＥＤ１３の熱を確実且つ充分に放熱させることができ、ハイパワー型のＬＥＤ１３を実装して照明装置１の輝度を高めた場合でも、ＬＥＤ１３の熱による悪影響を抑制することが可能となる。
【００５１】
また、本実施形態では、上述したように、水流路５５が金属フレーム１１内に挿通されたパイプ５５ａにより構成されていることから、冷却水Ｗの水流路５５からの漏洩を確実に抑制することができる。その結果、例えば水流路５５をフレキシブル基板１２に対し一層近接させ、ＬＥＤ１３の熱を好適に放熱することが可能となる。
【００５２】
図７（ｂ）は、図７（ａ）の照明装置の他の例を示す横断面図である。本実施形態の照明装置５１は、図７（ｂ）に示すように、水流路５５（図７（ｂ）参照）に代えて、上記水流路２５（図４（ａ）参照）と同様な流路形状の水流路６５を備えていてもよい。水流路６５は、金属フレーム１１の内部に挿通されたパイプ６５ａにより画設され構成されている。パイプ６５ａは、矩形筒形状とされており、金属フレーム１１において延在方向の一端から他端まで通じるように当該延在方向に沿って設けられている。
【００５３】
図８（ａ）は、図７（ａ）の照明装置のさらに他の例を示す横断面図である。本実施形態の照明装置５１は、図８（ａ）に示すように、水流路５５（図７（ａ）参照）に代えて、上記水流路３５（図４（ｂ）参照）と同様な流路形状の複数（ここでは２つ）の水流路７５を備えていてもよい。これらの水流路７５，７５は、金属フレーム１１の内部に挿通されたパイプ７５ａ，７５ａによりそれぞれ画設され構成されている。パイプ７５ａは、円筒形状とされており、金属フレーム１１において延在方向の一端から他端まで通じるように当該延在方向に沿って設けられている。
【００５４】
図８（ｂ）は、図７（ａ）の照明装置の別の他の例を示す横断面図である。本実施形態の照明装置５１では、図８（ｂ）に示すように、金属フレーム１１内であってフレキシブル基板１２の一主面１２ａに、横断面において複数（ここでは、２つ）のＬＥＤ１３がフレキシブル基板１２の主面に沿う方向に並ぶよう設けられていてもよい。そして、水流路５５（図７（ａ）参照）に代えて、複数（ここでは２つ）の水流路８５を備えていてもよい。
【００５５】
水流路８５，８５のそれぞれは、横断面において、フレキシブル基板１２の主面に沿う方向の位置がＬＥＤ１３，１３の各位置と等しい位置にされている。また、水流路８５，８５は、横断面において、フレキシブル基板１２の厚さ方向における位置が互いに等しくなるようにして、フレキシブル基板１２の主面に沿う方向に所定間隔で並設されている。この水流路８５は、金属フレーム１１の内部に挿通されたパイプ８５ａにより画設され構成されている。パイプ８５ａは、矩形筒形状とされており、金属フレーム１１において延在方向の一端から他端まで通じるように当該延在方向に沿って設けられている。
【００５６】
以上、本発明の好適な実施形態について説明したが、本発明は、上記実施形態に限られるものではなく、各請求項に記載した要旨を変更しない範囲で変形し、又は他のものに適用したものであってもよい。
【００５７】
例えば、上記実施形態では、照明装置１，５１を植物栽培用光源に適用したが、間接照明用光源や、イルミネーション（ディスプレイ）用光源等にも適用することが可能である。また、ＬＥＤ１３として、表面実装型のものを用いているが、砲弾型（ランプ型）のものを用いてもよく、様々な種類のＬＥＤを用いることができる。
【００５８】
また、上記実施形態では、照明装置１の輝度を高めるべくハイパワー型のＬＥＤ１３を実装しているが、高輝度ＬＥＤをフレキシブル基板１２上に密に配置（高密度配置）して照明装置１の輝度を高める場合もある。
【００５９】
また、上記実施形態の水流路１５，２５，３５，５５，６５，７５，８５は、冷却水Ｗとして水等を流通させているが、液肥（液体栄養剤）を冷却水Ｗとして流通させてもよい。この場合、冷却水Ｗ又は加熱冷却水Ｗ１を植物１０２に液肥として供給することが可能となる。
【００６０】
また、ＬＥＤ１３を実装する基板としては、実施形態のようにフレキシブル基板に限らず、ハード基板（例えば、ガラスエポキシ基板、アルミ基板、紙フェノール基板等）を採用してもよい。また、実施形態では、加熱冷却水Ｗ１が通過するヒータパイプ３１を土中に埋設して土壌を温めているが、このようなヒータパイプを土壌の地表面に設置して土壌を温めるようにしてもよい。
【００６１】
また、実施形態では、水流路１５を通過する冷却水の一部を植物に灌水し残りを循環させているが、この形態には限られない。例えば、外部から供給される冷却水を、水流路１５に通過させた後に全部灌水してもよい。また、外部から供給される冷却水を、水流路１５に通過させた後に廃棄してもよい。また、冷却水の全部を循環させてもよい。また、水流路１５を通過した後の冷却水をヒータパイプ２１，３１等に通過させることは必須ではなく、水流路１５を繰り返し通過するように冷却水を循環させてもよい。
【００６２】
なお、本発明の照明装置の構成は、上記実施形態の構成に限定されず、例えば図１〜６に示す金属フレーム、基板、ＬＥＤ及び水流路の各構成を適宜組み合わせた構成としてもよい。上記において、「矩形」、「円形」、「等しい」の語は、略矩形、略円形、略等しいを含むものであり、また、製造上の誤差やバラツキを含んでいる。
【符号の説明】
【００６３】
１，５１…照明装置、２…ハウスヒータ（温水モジュール）、３…土中ヒータ（温水モジュール，第１灌水手段）、４…灌水用点滴チューブ（第２灌水手段）、１１…金属フレーム（台座部材）、１２…フレキシブル基板（基板）、１２ａ…一主面（実装面）、１２ｂ…他主面、１３…ＬＥＤ（発光素子）、１４…コーティング材、１５，２５，３５，５５，６５，７５，８５…水流路、１７…凹溝、１７ａ…凹溝の底面、２１…ハウスヒータパイプ（ヒータパイプ）、３１…土中ヒータパイプ（ヒータパイプ）、５５ａ，６５ａ，７５ａ，８５ａ…パイプ（管部材）、１００…照明システム、Ｗ…冷却水、Ｗ１…加熱冷却水。
【図１】
2013251230.tif 000003
【図２】
2013251230.tif 000004
【図３】
2013251230.tif 000005
【図４】
2013251230.tif 000006
【図５】
2013251230.tif 000007
【図６】
2013251230.tif 000008
【図７】
2013251230.tif 000009
【図８】
2013251230.tif 000010